(57)【要約】【課題】側面を壁に近接させて設置した場合であっても、扉を９０度以上開くことができる貯蔵庫及び冷蔵庫を提供する。【解決手段】  貯蔵室に設けられた開口部を閉塞する扉は、フレーム枠とフロントパネルとを含み、当該フレーム枠の側面部と前面部とによって形成される角部に逃し部が設けられており、水平断面で見てフロントパネルの最も厚い部分におけるパネル前面部から、当該側面部に直交する方向にヒンジの軸から伸びる仮想線まで、直交するように伸ばした直線の長さが当該逃し部における最遠部から当該ヒンジの軸までの距離よりも短く、且つ、当該フロントパネルの端部は当該ヒンジの軸から当該最遠部までの長さを半径とし軸を中心とする円内に存在する。【選択図】図８
2015169421.tif 000002
【特許請求の範囲】
【請求項１】
前面開口部を有する箱体と、前記前面開口部を閉塞する扉と、前記開口部の上下に設けられて前記扉を回動自在に上下から支持する軸を有する上ヒンジ及び下ヒンジと、を備える貯蔵庫であって、
前記扉は、フレーム枠と、前記フレーム枠の前面に固定されるフロントパネルと、を備え、
前記フレーム枠は、上下左右の側面部からなり前方から見て矩形の側面枠部と、前記側面枠部の前方に設けられ前記フロントパネルが取り付けられる前面部と、を含み、
前記左右の側面部のうち前記軸に近い側の側面部と前記前面部とによって形成される角部に逃し部が設けられており、
水平断面で見て前記フロントパネルの最も厚い部分におけるパネル前面部から、前記左右の側面部のうちの前記軸側の側面部に直交する方向に前記軸から伸びる仮想線まで、直交するように伸ばした直線の長さが、前記逃し部における前記軸から最も遠い最遠部から前記軸までの距離よりも短く、且つ、
前記フロントパネルの左右の端部のうちの前記軸側の端部は、前記軸から前記最遠部までの長さを半径とし前記軸を中心とする円内に存在することを特徴とする貯蔵庫。
【請求項２】
前面開口部を有する箱体と、前記前面開口部を閉塞する扉と、前記開口部の上下に設けられて前記扉を回動自在に上下から支持する軸を有する上ヒンジ及び下ヒンジと、を備える貯蔵庫であって、
前記扉は、フレーム枠と、前記フレーム枠の前面に固定されるフロントパネルと、を備え、
前記フレーム枠は、上下左右の側面部からなり前方から見て矩形の側面枠部と、前記側面枠部の前方に設けられ前記フロントパネルが取り付けられる前面部と、を含み、
前記左右の側面部のうち前記軸に近い側の側面部と前記前面部とによって形成される角部に逃し部が設けられており、
前記逃し部は、前記貯蔵庫の側面を壁面に対向させて設置した時に、前記軸から当該壁面に直交する直線の長さを半径とし前記軸を中心とする円の中に存在するように形成されており、
水平断面で見て前記フロントパネルの最も厚い部分におけるパネル前面部から、前記左右の側面部のうちの前記軸側の側面部に直交する方向に前記軸から伸びる仮想線まで、直交するように伸ばした直線の長さが、前記貯蔵庫の側面を壁面に対向させて設置した時に、前記軸から当該壁面に直交する直線の長さより短く、
前記フロントパネルの左右辺のうちの前記軸側の端部は、前記逃し部より前記開口部の中心側に存在することを特徴とする貯蔵庫。
【請求項３】
前記逃し部の水平断面形状は、Ｃ面取り形状、円弧形状、及び波形状のいずれかであることを特徴とする請求項１又は２に記載の貯蔵庫。
【請求項４】
前記左右の側面部には長手方向に沿って、前記左右の側面部の強度を補強する補強材が固定されていることを特徴とする請求項１から３のいずれか１項に記載の貯蔵庫。
【請求項５】
前記扉を閉じる扉閉鎖装置が前記下ヒンジに取り付けられていることを特徴とする請求項１から４のいずれか１項に記載の貯蔵庫。
【請求項６】
前記扉閉鎖装置は、
前記下ヒンジの軸に嵌合して回動不能に支持され、前記下ヒンジの軸を挟んで対称な位置に少なくとも一対の凹部が形成されているカムと、
前記カムを両側から挟持して前記扉の閉鎖時に前記凹部に係合する先端部を有し、前記先端部を前記カムの外周に沿って押圧させながら回動する板バネと、
前記板バネを保持し前記冷蔵室扉に固定されるバネ保持部材と、を含むことを特徴とする請求項５に記載の貯蔵庫。
【請求項７】
前記カムの外周部のうち、前記先端部の上下端エッジ部に対応する部分に溝部を設けたことを特徴とする請求項６に記載の貯蔵庫。
【請求項８】
前記扉は、
前記フロントパネルの背面側に設けられた内板と、
前記内板と前記上下左右の側面部と前記フロントパネルとによって形成される閉空間内に収容される真空断熱材と、
前記閉空間内に形成される隙間に充填されたウレタンと、を含み、
前記フロントパネルの背面が、前記ウレタンによって前記側面部に固定されていることを特徴とする請求項１から７のいずれか１項に記載の貯蔵庫。
【請求項９】
前記前面部は上下左右の４つの前面部からなり、
前記フレーム枠は、前記側面枠部の前記上側面部と記上前面部とからなる上フレーム片と、前記側面枠部の前記下側面部と前記下前面部とからなる下フレーム片と、前記側面枠部の前記左側面部と前記左前面部とからなる左フレーム片と、前記側面枠部の前記右側面部と前記右前面部とからなる右フレーム片と、に分離可能であり、
前記側面枠部の上側面部及び前記下側面部の各々の内側左右両端には爪部が設けられており、
前記側面枠部の左側面部及び前記右側面部の各々の内側左右両端には前記爪部を嵌め合わせるための嵌合孔が設けられており、
前記上側面部の一端の前記爪部が前記左側面部の一端の前記嵌合孔に、前記上側面の他端の前記爪部が前記右側面部の一端の前記嵌合孔に、前記下側面部の一端の前記爪部が前記左側面部の他端の前記嵌合孔に、前記下側面部の他端の前記爪部が前記右側面部の他端の前記嵌合孔にそれぞれ嵌合されて前記フレーム枠が枠組みされていることを特徴とする請求項１から８のいずれか１項に記載の貯蔵庫。
【請求項１０】
前記フロントパネルの材料はガラスであることを特徴とする請求項１から９のいずれか１項に記載の貯蔵庫。
【請求項１１】
冷蔵室の前面に開口部を有する箱体と、前記開口部を閉塞する冷蔵室扉と、前記開口部の上下に設けられて前記冷蔵室扉を回動自在に上下から支持する軸を有する上ヒンジ及び下ヒンジと、前記冷蔵室内を冷却する冷気を生成する冷媒サイクルを備えた冷媒回路と、を備える冷蔵庫であって、
前記冷蔵室扉は、フレーム枠と、前記フレーム枠の前面に固定されるフロントパネルと、を備え、
前記フレーム枠は、上下左右の側面部からなり前方から見て矩形の側面枠部と、前記側面枠部の前方に設けられ前記フロントパネルが取り付けられる前面部と、を含み、
前記左右の側面部のうち前記軸に近い側の側面部と前記前面部とによって形成される角部に逃し部が設けられており、
水平断面で見て前記フロントパネルの最も厚い部分におけるパネル前面部から、前記左右の側面部のうちの前記軸側の側面部に直交する方向に前記軸から伸びる仮想線まで、直交するように伸ばした直線の長さが、前記逃し部における前記軸から最も遠い最遠部から前記軸までの距離よりも短く、且つ、
前記フロントパネルの左右の端部のうちの前記軸側の端部は、前記軸から前記最遠部までの長さを半径とし前記軸を中心とする円内に存在することを特徴とする冷蔵庫。
【請求項１２】
表面が露出するように前記冷蔵室扉の前面に設けられた操作パネルを含むことを特徴とする請求項１１に記載の冷蔵庫。
【発明の詳細な説明】
【技術分野】
【０００１】
この発明は、貯蔵庫及び冷蔵庫に関し、特にこれらが備える箱体の開口部を開閉する回動自在な扉を備える貯蔵庫及び冷蔵庫に関するものである。
【背景技術】
【０００２】
従来より、冷蔵室扉のフロントパネルとしてガラスを用いた冷蔵庫が知られている。例えば特許文献１には、ガラス製のフロントパネルをフレーム部材の前面に設けられた枠に嵌め込み、更に、発泡部材の熱収縮等によってフレーム部材が変形してパネル部材が外れてしまわないようにフレーム部材の左側壁部と右側壁部とを繋ぐ補強部材を設けた冷蔵庫の扉が開示されている。当該扉においては、フロントパネルをフレーム部材の枠に両面テープで貼り付け固定する構成についても開示されている。
【先行技術文献】
【特許文献】
【０００３】
【特許文献１】特開２０１３−１６０３８８号公報
【発明の概要】
【発明が解決しようとする課題】
【０００４】
ところで、貯蔵室扉のフロントパネルを従来よりも厚くしたいという要望がある。例えば、意匠性を高めるためにパネル部材としてガラス等の強度の低い部材を用いた場合に、割れ難くするためにパネル部材を厚くすることが考えられる。厚さの増したフロントパネルを、特許文献１の冷蔵庫のようにフレーム部材に両面テープで貼り付け固定した場合には以下のような問題が生じ得る。すなわち、貯蔵庫の側面からキッチンの壁面までの距離が例えば５ｍｍ程度となるように貯蔵庫を壁面に近接させて設置した場合、貯蔵室扉を開くときにその角部やフロントパネルが壁面に当たってしまい、扉が９０度まで開かなくなってしまう。そうすると、冷蔵庫内の棚やケースを外側に引き出すことができなくなってしまうというという問題がある。
【０００５】
この発明は、上記のような課題を解決するためになされたもので、側面を壁に近接させて設置した場合であっても、扉を９０度以上開くことができる貯蔵庫及び冷蔵庫を提供することである。
【課題を解決するための手段】
【０００６】
この発明に係る貯蔵庫は、前面開口部を有する箱体と、前記前面開口部を閉塞する扉と、前記開口部の上下に設けられて前記扉を回動自在に上下から支持する軸を有する上ヒンジ及び下ヒンジと、を備える貯蔵庫であって、前記扉は、フレーム枠と、前記フレーム枠の前面に固定されるフロントパネルと、を備え、前記フレーム枠は、上下左右の側面部からなり前方から見て矩形の側面枠部と、前記側面枠部の前方に設けられ前記フロントパネルが取り付けられる前面部と、を含み、前記左右の側面部のうち前記軸に近い側の側面部と前記前面部とによって形成される角部に逃し部が設けられており、
水平断面で見て前記フロントパネルの最も厚い部分におけるパネル前面部から、前記左右の側面部のうちの前記軸側の側面部に直交する方向に前記軸から伸びる仮想線まで、直交するように伸ばした直線の長さが、前記逃し部における前記軸から最も遠い最遠部から前記軸までの距離よりも短く、且つ、前記フロントパネルの左右の端部のうちの前記軸側の端部は、前記軸から前記最遠部までの長さを半径とし前記軸を中心とする円内に存在することを特徴とする。
【０００７】
この発明に係る貯蔵庫は、前面開口部を有する箱体と、前記前面開口部を閉塞する扉と、前記開口部の上下に設けられて前記扉を回動自在に上下から支持する軸を有する上ヒンジ及び下ヒンジと、を備える貯蔵庫であって、前記扉は、フレーム枠と、前記フレーム枠の前面に固定されるフロントパネルと、を備え、前記フレーム枠は、上下左右の側面部からなり前方から見て矩形の側面枠部と、前記側面枠部の前方に設けられ前記フロントパネルが取り付けられる前面部と、を含み、前記左右の側面部のうち前記軸に近い側の側面部と前記前面部とによって形成される角部に逃し部が設けられており、前記逃し部は、前記貯蔵庫の側面を壁面に対向させて設置した時に、前記軸から当該壁面に直交する直線の長さを半径とし前記軸を中心とする円の中に存在するように形成されており、水平断面で見て前記フロントパネルの最も厚い部分におけるパネル前面部から、前記左右の側面部のうちの前記軸側の側面部に直交する方向に前記軸から伸びる仮想線まで、直交するように伸ばした直線の長さが、前記貯蔵庫の側面を壁面に対向させて設置した時に、前記軸から当該壁面に直交する直線の長さより短く、前記フロントパネルの左右辺のうちの前記軸側の端部は、前記逃し部より前記開口部の中心側に存在することを特徴とする。
【０００８】
また、この発明に係る冷蔵庫は、冷蔵室の前面に開口部を有する箱体と、前記開口部を閉塞する冷蔵室扉と、前記開口部の上下に設けられて前記冷蔵室扉を回動自在に上下から支持する軸を有する上ヒンジ及び下ヒンジと、前記冷蔵室内を冷却する冷気を生成する冷媒サイクルを備えた冷媒回路と、を備える冷蔵庫であって、前記冷蔵室扉は、フレーム枠と、前記フレーム枠の前面に固定されるフロントパネルと、を備え、前記フレーム枠は、上下左右の側面部からなり前方から見て矩形の側面枠部と、前記側面枠部の前方に設けられ前記フロントパネルが取り付けられる前面部と、を含み、前記左右の側面部のうち前記軸に近い側の側面部と前記前面部とによって形成される角部に逃し部が設けられており、水平断面で見て前記フロントパネルの最も厚い部分におけるパネル前面部から、前記左右の側面部のうちの前記軸側の側面部に直交する方向に前記軸から伸びる仮想線まで、直交するように伸ばした直線の長さが、前記逃し部における前記軸から最も遠い最遠部から前記軸までの距離よりも短く、且つ、前記フロントパネルの左右の端部のうちの前記軸側の端部は、前記軸から前記最遠部までの長さを半径とし前記軸を中心とする円内に存在することを特徴とする。
【発明の効果】
【０００９】
この発明の貯蔵庫及び冷蔵庫は、側面を壁に近接させて設置した場合であっても、扉を９０度以上開くことができる。
【図面の簡単な説明】
【００１０】
【図１】この発明の実施の形態１〜３における貯蔵庫の正面図である。
【図２】図１の冷蔵庫の断面図である。
【図３】図１の冷蔵室扉の分解斜視図である。
【図４】（ａ）は、図１の左冷蔵室扉のフレーム枠の断面斜視図である。（ｂ）は、（ａ）の破線円内の拡大図である。
【図５】図４の（ａ）のフレーム枠の構成要素である左フレーム片と下フレーム片とを分解して示した分解斜視図である。
【図６】図１の冷蔵庫の側面を壁に隣接配置した場合の平面図である。
【図７】図１の左右冷蔵室扉の断面図である。
【図８】図７の破線円内の拡大図である。
【図９】（ａ）は、フレーム枠角部の逃し部がＣ面取り形状である場合の逃し部付近の水平方向の断面図である。（ｂ）は、（ａ）とは別のＣ面取り形状とした場合における逃し部付近の水平方向の断面図である。
【図１０】フレーム枠角部の逃し部が円弧形状である場合の逃し部付近の水平方向の断面図である。
【図１１】フレーム枠角部の逃し部が波形状である場合の逃し部付近の水平方向の断面図である。
【図１２】図１の操作パネルの断面図である。
【図１３】透明電極を用いた操作パネルの断面図である。
【図１４】図１２及び図１３のエレクトボックスの斜視図である。
【図１５】図１の冷蔵室扉を支持する扉閉鎖装置及びヒンジの分解斜視図である。
【図１６】（ａ）は、図１５の扉閉鎖装置の平面図である。（ｂ）は、（ａ）のＢ−Ｂ線における断面図である。
【図１７】（ａ）は、図１５の扉閉鎖装置の側面図である。（ｂ）は、（ａ）のＡ−Ａ線における断面図である。
【図１８】（ａ）は、この発明の実施の形態２における、フレーム枠角部の逃し部がＣ面取り形状である場合の逃し部付近の水平方向の断面図である。（ｂ）は、（ａ）とは別のＣ面取り形状とした場合の逃し部付近の水平方向の断面図である。
【図１９】この発明の実施の形態２における、フレーム枠角部の逃し部が円弧形状である場合の逃し部付近の水平方向の断面図である。
【図２０】この発明の実施の形態２における、フレーム枠角部の逃し部が波形状である場合の逃し部付近の水平方向の断面図である。
【図２１】水平断面で見たときのフロントパネルの前面が曲面である場合における逃し部付近の水平方向の断面図である。
【図２２】この発明の実施の形態３における扉閉鎖装置の側面図である。
【図２３】図２２の扉閉鎖装置の分解斜視図である。
【発明を実施するための形態】
【００１１】
実施の形態１．
図１は、この発明の実施の形態１における貯蔵庫１の正面図である。以下、貯蔵庫１が冷蔵庫である場合について説明する。冷蔵庫１の最上段には冷蔵室２が設けられている。冷蔵室２は、その前面側に矩形の開口部を有しており、冷蔵室左扉３及び冷蔵室右扉４によって閉塞、解放される。冷蔵室２の開口部の上下にはそれぞれ上ヒンジ７０及び下ヒンジ４５が設けられている。冷蔵室左扉３は、冷蔵室２の左下部に設けられた下ヒンジ４５と冷蔵室２の左上部に設けられた上ヒンジ７０とによって支持されており、下ヒンジ４５の軸４５ａ（図１５）及び上ヒンジ７０の軸（図示せず。下ヒンジの軸４５ａと同様）を中心に回動自在である。同様に、冷蔵室右扉４は、冷蔵室２の開口部の右下部に設けられた下ヒンジ４５と冷蔵室２の開口部の右上部に設けられた上ヒンジ７０とによって支持されており、上ヒンジ７０及び下ヒンジ４５の軸を中心に回動自在である。下ヒンジ４５には扉閉鎖装置（図１５）が取り付けられている。冷蔵室左扉３の前面には温度調整等の操作を行うための操作パネル５が設けられている。冷蔵室２の下には、切替室６及び製氷室８が設けられている。切替室６は、設定温度の切り替えにより、例えば冷凍室又はソフト冷凍室として用いられる。切替室６はその前面に設けられた切替室扉７によって開閉自在である。製氷室８はその前面に設けられた製氷室扉９によって開閉自在である。切替室６及び製氷室８の下には冷凍室１０が設けられている。冷凍室１０は、その前面に設けられた冷凍室扉１１によって開閉自在である。冷凍室１０の下には野菜室１２が設けられている。野菜室１２は、その前面に設けられた野菜室扉１３によって開閉自在である。
【００１２】
図２は、図１の冷蔵庫１の断面図である。図３は、図１の冷蔵庫１の冷蔵室左扉３及び冷蔵室右扉４の分解斜視図である。図４（ａ）は、図３の冷蔵室左扉３の左扉フレーム枠２８の断面斜視図である。図４（ｂ）は、図４（ａ）の破線円Ｆ内の拡大図である。図５は、左フレーム片２８ａのリブ２８ｅ近傍と、下フレーム片２８ｄの爪２８ｆ近傍とを拡大して示した拡大斜視図である。
【００１３】
冷蔵室２の室内天井部には天井部真空断熱材１４が設けられている。冷蔵室２の室内背面には背面部真空断熱材１５が設けられている。冷蔵室左扉３は左扉部真空断熱材１６を含み、冷蔵室右扉４は右扉部真空断熱材１７を含む。また、冷凍室扉１１は冷凍室扉部真空断熱材１８を含み、野菜室扉１３は野菜室扉部真空断熱材１９を含む。これらの真空断熱材１４〜１９は、外から冷蔵庫１内への熱侵入量を低減することができる。真空断熱材の熱伝導率λは例えば０．００２０Ｗ／ｍ・Ｋである。天井部真空断熱材１４、背面部真空断熱材１５、冷蔵庫右側面部真空断熱材（図示せず）、及び冷蔵庫左側面部真空断熱材（図示せず）と、内箱２７との間にはウレタン（図示せず）が充填されている。左扉部真空断熱材１６と左扉内板２０との間、右扉部真空断熱材１７と右扉内板２１との間、冷凍室扉部真空断熱材１８と冷凍室扉内板２２との間、及び、野菜室扉部真空断熱材１９と野菜室扉内板２３との間にもそれぞれウレタン（図示せず）が充填されている。ウレタンの熱伝導率λは例えば０．０２００Ｗ／ｍ・Ｋである。冷凍室１０内には冷却器２４が設けられている。冷蔵庫１は、圧縮機２６と、凝縮機（図示せず）と、毛細管（図示せず）と、冷却器２４とからなる冷媒回路を備えている。冷媒回路は、冷蔵室２等に供給する冷気を生成する冷凍サイクルを構成する。圧縮機２６は、冷媒を圧縮する。凝縮機は、圧縮された冷媒を凝縮する。毛細管は、凝縮された冷媒を減圧する。冷却器２４は、減圧された冷媒を蒸発させる。冷媒蒸発時の吸熱作用によって冷却器２４周辺の気体が冷却される。また、冷却器２４によって冷却された冷気を冷蔵室２、切替室６及び製氷室８に送風するファン２５が冷凍室１０内に設けられている。
【００１４】
左扉フレーム枠２８は、左フレーム片２８ａと、右フレーム片２８ｂと、上フレーム片２８ｃと、下フレーム片２８ｄとからなり、これらのフレーム片２８ａ〜２８ｄを枠組みして構成される。フレーム片２８ａ〜２８ｄの各々は、前面部と、当該前面部と交差して冷蔵室側に伸びる側面部とからなる。フレーム片２８ａ〜２８ｄの各側面部によって形成される側面枠を側面枠部と称する。側面枠部は前方から見て矩形である。フレーム片２８ａ〜２８ｄの各前面部によって形成される前面枠を前面枠部と称する。各フレーム片の前面部と側面部とは一体的に形成されており、前面部と側面部とが交差して形成される角部には逃し部２８ａ３が設けられている。例えば、左フレーム片２８ａは、図３に示されるように、前面部２８ａ１と側面部２８ａ２とを備え、これらは一体的に形成されており、前面部２８ａ１と側面部２８ａ２とが交差する角部には逃し部２８ａ３が設けられている。下フレーム片２８ｄの両端には、爪２８ｆが設けられている。左フレーム片２８ａの一端には、下フレーム片２８ｄの端部を挿入可能な空洞部２８ｈと、下フレーム片２８ｄの端部が空洞部２８ｈに挿入されたときに当該端部に設けられている爪２８ｆを引っ掛けるための嵌合孔２８ｇとを有したリブ２８ｅが設けられている。嵌合孔２８ｇの形状は例えば長方形であり、この場合リブ２８ｅの形状は長方形の板状であり、長方形の嵌合孔２８ｇに長方形板状のリブ２８ｅが嵌めこまれる。下フレーム片２８ｄの端部を左フレーム片２８ａの空洞部２８ｈに挿入し、左フレーム片２８ａの嵌合孔２８ｇに下フレーム片２８ｄの爪２８ｆが嵌合する。それによって、左フレーム片２８ａが左右方向に抜けなくなる。また、左フレーム片２８ａの他端には上フレーム片２８ｃの端部を挿入可能な空洞部と、下フレーム片２８ｄの端部が空洞部に挿入されたときに当該端部に設けられている爪を引っ掛けるための嵌合孔とを有した同様のリブ（図示せず）が設けられている。右フレーム片２８ｂの両端にも、上下フレーム片の端部を挿入可能な空洞部と上下フレーム片の爪を引っ掛けるための嵌合孔を有した同様のリブ（図示せず）が設けられている。上フレーム片２８ｃの両端にも、同様の爪（図示せず）が設けられている。左フレーム片２８ａと上フレーム片２８ｃの嵌め合い、右フレーム片２８ｂと下フレーム片２８ｄの嵌め合い、及び右フレーム片２８ｂと上フレーム片２８ｃの嵌め合いも同様である。リブ２８ｅは、左フレーム片２８ａ又は右フレーム片２８ｂとそれぞれ同一部品であり、左フレーム片２８ａの内側の面又は右フレーム片２８ｂの内側の面と少なくとも２面以上隣接している。
【００１５】
左フレーム片２８ａ及び右フレーム片２８ｂの各々の側面部内側には、ウレタン発泡時に左扉フレーム枠２８が変形することを防止する補強材５４が固定されている。補強材５４は、側面部の長手方向に沿って固定されている。補強材５４の水平断面形状は、後述の図８に示されるように１つの背面及び当該背面と一体的に形成された２つの側面からなるコの字型とすることができる。なお、補強材５４の形状はこれに限られず、例えば当該長手方向に沿って伸びる板状又は柱状とすることもできる。柱状の補強材５４の場合、柱軸に垂直な方向の断面形状は、円形、又は例えば三角形、四角形などの多角形とし得る。補強材５４は、左フレーム片２８ａ及び右フレーム片２８ｂの各々の側面部の長手方向全体に亘って固定されても良いし、一部にのみ固定されても良い。補強材５４の当該長手方向に沿った長さは、左フレーム片２８ａ及び右フレーム片２８ｂの各々の変形を防止できる程度の長さが確保できていれば良い。強度を確保する観点からは、補強材５４は、少なくとも、側面部の長手方向の両端の中央位置をまたぐように固定されていることが望ましい。補強材５４の材料としては、例えば鉄やアルミニウムなどの金属を用いることができる。
【００１６】
左扉フレーム枠２８は前方から見て上下左右の辺を有する矩形となるように枠組みされている。矩形平板状の左フロントパネル３１ａの背面周縁部が両面テープ３０によって左扉フレーム枠２８の前面枠部に貼付け固定されている。左フロントパネル３１ａの前面は全体的に露出している。左フロントパネル３１ａは、左扉フレーム枠２８の前面枠部全体を覆うように貼り付け固定されても良いし、前面から見て左扉フレーム枠２８の前面枠部の一部が露出するように貼り付け固定されても良い。例えば、左フレーム片２８ａの前面部２８ａ１は前方から見て矩形であり、左フロントパネル３１ａは、その左辺が左フレーム片２８ａの前面部２８ａ１の左辺よりも右側に位置するように貼り付け固定され得る。このような貼り付けにより、左扉フレーム枠２８の左フレーム片２８ａの前面部２８ａ１は、左フロントパネル３１ａが貼り付けられている領域と、左フロントパネル３１ａが貼り付けられていない領域すなわち前方から見て左フレーム片２８ａの前面部２８ａ１が露出している領域とに分かれる。左フロントパネル３１ａの背面側には左扉内板２０が設けられている。左扉フレーム枠２８は、左扉内板２０の前面部に固定されている。左扉内板２０と、左扉フレーム枠２８と、左フロントパネル３１ａとによって形成される閉空間には左扉部真空断熱材１６が含まれる。当該閉空間内に生じる隙間にはウレタン（図示せず）が充填されている。ウレタンは、断熱効果を奏する他、左フロントパネル３１ａの背面部の少なくとも一部を左扉フレーム枠２８に接着固定する役割も果たす。冷蔵室右扉４も同様の構造である。冷蔵室右扉４の場合、例えば、右フレーム片２９ｂの前面部が前方から見て矩形であり、右フロントパネル３１ｂは、その右辺が右フレーム片２９ｂの前面部の右辺よりも左側に位置するように貼り付け固定され得る。左右フロントパネル３２及び３３の材料としては、例えば、ガラス、プラスチック、アルミニウム等の金属のいずれかを用いることができる。
【００１７】
図６は、冷蔵庫１を壁に隣接配置したときの平面図である。詳細には、冷蔵庫１の箱体６０の左側面６０ａと左壁面Ｗとが互いに隣接し、箱体６０の右側面６０ｂと右壁面Ｗ’とが互いに隣接するように冷蔵庫１が設置されている。なお、左壁面Ｗ及び右壁面Ｗ’は、例えば台所、居間、寝室等の室内外の壁面、又は例えば別の冷蔵庫、食器棚等の設置物の壁面であり、冷蔵庫１とは独立して設置されている。なお、左壁面Ｗと右壁面Ｗ’とは必ずしも連続していなくても良い。図７は、冷蔵室左扉３及び冷蔵室右扉４の断面図である。図８は、図７の破線円Ｚ内の拡大図である。距離Ａは、冷蔵室左扉３の回転軸（ヒンジの軸（図１５））の中心Ｑから左フレーム片２８ａの側面までの水平方向距離である。換言すれば、距離Ａは、回転軸中心Ｑから左フレーム片２８ａの側面部２８ａ２に伸びる垂線の長さである。距離Ｂは、左フレーム片２８ａを水平断面で見て、その角部に設けられている逃し部２８ａ３における回転軸中心Ｑから最も遠い最遠部Ｐと回転軸中心Ｑとを結んだ距離である。距離Ｃは、水平断面で見て左フロントパネル３１ａの最も厚い部分におけるパネル前面部Ｄから、左扉フレーム枠２８の左側面部（左フレーム片２８ａの側面部２８ａ２）に直交する方向に回転軸中心Ｑから伸びる仮想線Ｅまで、直交するように伸ばした直線の長さである。図６〜図８においては、距離Ｃは、冷蔵室左扉３の回転軸中心Ｑから左フロントパネル３１ａの前面まで直交するように伸ばした直線の長さということもできる。隙間ｔは、左フレーム片２８ａの側面部２８ａ２と左壁面Ｗとの隙間である。回転軸中心Ｑを中心とし（Ａ＋ｔ）を半径とした円Ｙの中に最遠部Ｐが存在するように、左フレーム片２８ａの角部に逃し部２８ａ３が設けられている。水平断面で見て左フロントパネル３１ａの最も厚い部分におけるパネル前面部Ｄから、左扉フレーム枠２８の左側面部に直交する方向に回転軸中心Ｑから伸びる仮想線Ｅまで、直交するように伸ばした直線の長さＣは、逃し部２８ａ３における回転軸中心Ｑから最も遠い最遠部Ｐから回転軸中心Ｑまでの距離Ｂよりも短い。水平断面で見て左フロントパネル３１ａの左右の端部のうちの回転軸中心Ｑに位置する端部すなわち左側端部Ｇは、回転軸中心Ｑから最遠部Ｐまでの長さＢを半径とし回転軸中心Ｑを中心とする円内に存在する。なお、端部Ｇは、左フロントパネル３１ａの側面、又はその側面を構成する辺である。図６〜図８においては、回転軸中心Ｑから左フロントパネル３１ａの前面までの水平方向距離Ｃ（回転軸中心Ｑから左フロントパネル３１ａの前面に伸ばした垂線の長さ）は、円Ｙの半径（Ａ＋ｔ）以下である。かかる構成とすることによって、左壁面Ｗに接することなく冷蔵室左扉３を９０度まで開くことができる。数式で表すと、Ｂ≦（Ａ＋ｔ）であり、かつＣ≦（Ａ＋ｔ）であることが、左壁面Ｗに接することなく冷蔵室左扉３を９０度以上開くための条件となる。それによって、冷蔵室２内の棚やケースを取り出すことができる。逃し部２８ａ３は、左フレーム片２８ａの前面部２８ａ１と側面部２８ａ２とが交差して形成される角部に設けられている。逃し部２８ａ３の形状として、例えばＣ面取り形状又は円弧形状をつける方法があるが、これに限らず、例えば左フレーム片２８ａを水平断面で見たときに複数の円弧が波状に連なった波形状にしても構わない。図７及び図８の断面形状は、角部にＣ面取り形状を形成した場合の例である。隙間ｔは、ユーザーによる冷蔵庫１の設置状況に応じて変化し得るが、ある想定値をあらかじめ設定して距離Ａ、Ｂ及びＣを定めることができる。すなわち、冷蔵庫１の左側面６０ａと左壁面Ｗとの間の距離すなわち据付スペースが例えば５ｍｍとなるように冷蔵庫１が設置されると想定した場合、隙間ｔの想定値（最小設置スペース）を５ｍｍとして距離Ａ〜Ｃを決定することができる。
【００１８】
冷蔵室右扉４についても同様の距離関係を有し、且つ同様の逃し部が設けられている。  距離Ａ’は、冷蔵室右扉４の回転軸（ヒンジの軸（図１５））の中心Ｑ’から右フレーム片２９ｂの側面までの水平方向距離である。換言すれば、距離Ａ’は、回転軸中心Ｑ’から右フレーム片２９ｂの側面部に伸びる垂線の長さである。距離Ｂ’は、右フレーム片２９ｂを水平断面で見て、その角部に設けられている逃し部における回転軸中心Ｑ’から最も遠い最遠部Ｐ’と回転軸中心Ｑ’とを結んだ距離である。距離Ｃ’は、水平断面で見て右フロントパネル３１ｂの最も厚い部分におけるパネル前面部から、右扉フレーム枠２９の右側面部（右フレーム片２９ｂの側面部）に直交する方向に回転軸中心Ｑ’から伸びる仮想線まで、直交するように伸ばした直線の長さである。図６〜図８においては、距離Ｃ’は、冷蔵室右扉４の回転軸中心Ｑ’から右フロントパネル３１ｂの前面まで直交するように伸ばした直線の長さということもできる。隙間ｔ’は、右フレーム片２９ｂの側面部と右壁面Ｗ’との隙間である。回転軸中心Ｑ’を中心とし（Ａ’＋ｔ’）を半径とした円Ｙ’の中に最遠部Ｐ’が存在するように、右フレーム片２９ｂの角部に逃し部が設けられている。水平断面で見て右フロントパネル３１ｂの最も厚い部分におけるパネル前面部Ｄ’から、右扉フレーム枠２９の右側面部に直交する方向に回転軸中心Ｑ’から伸びる仮想線まで、直交するように伸ばした直線の長さＣ’は、逃し部における回転軸中心Ｑ’から最も遠い最遠部から、回転軸中心Ｑ’までの距離Ｂ’よりも短い。水平断面で見て右フロントパネル３１ｂの右側端部は、回転軸中心Ｑ’から最遠部までの長さＢ’を半径とし回転軸中心Ｑ’を中心とする円内に存在する。図６〜図８においては、回転軸中心Ｑ’から左フロントパネル３１ａの前面までの水平方向距離Ｃ’（回転軸中心Ｑ’から右フロントパネル３１ｂの前面に伸ばした垂線の長さ）は、円Ｙ’の半径（Ａ’＋ｔ’）以下である。かかる構成とすることによって、右壁面Ｗ’に接することなく冷蔵室右扉４を９０度まで開くことができる。数式で表すと、Ｂ’≦（Ａ’＋ｔ’）であり、かつＣ’≦（Ａ’＋ｔ’）であることが、右壁面Ｗ’に接することなく冷蔵室右扉４を９０度以上開くための条件となる。それによって、冷蔵室２内の棚やケースを取り出すことができる。逃し部は、右フレーム片２９ｂの前面部と側面部とが交差して形成される角部に設けられている。逃し部の形状として、例えばＣ面取り形状又は円弧形状をつける方法があるが、これに限らず、例えば右フレーム片２９ｂを水平断面で見たときに複数の円弧が波状に連なった波形状にしても構わない。図７の断面形状は、角部にＣ面取り形状を形成した場合の例である。隙間ｔ’は、ユーザーによる冷蔵庫１の設置状況に応じて変化し得るが、ある想定値をあらかじめ設定して距離Ａ’、Ｂ’及びＣ’を定めることができる。すなわち、冷蔵庫１の右側面６０ｂと左壁面Ｗ’との間の距離すなわち据付スペースが例えば５ｍｍとなるように冷蔵庫１が設置されると想定した場合、隙間ｔ’の想定値（最小設置スペース）を５ｍｍとして距離Ａ’〜Ｃ’を決定することができる。
【００１９】
図９（ａ）及び（ｂ）は、左扉フレーム枠２８の角部２８ａ６に逃し部２８ａ３としてＣ面取り形状を設けた場合における逃し部２８ａ３付近の水平方向の断面図である。逃し部２８ａ３の水平断面形状は、左フレーム片２８ａの前面部２８ａ１の角部側端部２８ａ４と、側面部２８ａ２の角部側端部２８ａ５とを結ぶ直線である。図９（ａ）は、前面部２８ａ１の角部側端部２８ａ４と側面部２８ａ２の角部側端部２８ａ５のうち、側面部２８ａ２の角部側端部２８ａ５の方が、冷蔵室左扉３の回転軸中心Ｑから見て遠い場合の断面図である。図９（ｂ）は、前面部２８ａ１の角部側端部２８ａ４の方が、冷蔵室左扉３の回転軸中心Ｑから見て遠い場合の断面図である。左フレーム片２８ａの逃し部２８ａ３の最遠部Ｐは、回転軸中心Ｑを中心とし半径（Ａ＋ｔ）である円Ｙ内に存在する。
【００２０】
図１０は、左扉フレーム枠２８の角部２８ａ６の逃し部２８ａ３として円弧形状を設けた場合における逃し部２８ａ３付近の水平方向の断面図である。逃し部２８ａ３の水平断面形状は、左フレーム片２８ａの前面部２８ａ１の角部側端部２８ａ４と側面部２８ａ２の角部側端部２８ａ５とを結ぶ円弧ある。左フレーム片２８ａの逃し部２８ａ３の最遠部Ｐは、回転軸中心Ｑを中心とし半径（Ａ＋ｔ）である円Ｙ内に存在する。
【００２１】
図１１は、左扉フレーム枠２８の角部２８ａ６の逃し部２８ａ３として波形状を設けた場合における逃し部２８ａ３付近の水平方向の断面図である。逃し部２８ａ３の水平断面形状は、左フレーム片２８ａの前面部２８ａ１の角部側端部２８ａ４と側面部２８ａ２の角部側端部２８ａ５とを結ぶ波形状である。波形状は、複数の円弧が波上に連なった形状である。左フレーム片２８ａの逃し部２８ａ３の最遠部Ｐは、回転軸中心Ｑを中心とし半径（Ａ＋ｔ）である円Ｙ内に存在する。
【００２２】
Ｃ面取り形状、円弧形状、波形状いずれの場合においても、逃し部２８ａ３の最遠部Ｐが円Ｙ内に存在するように逃し部２８ａ３が形成されているので、冷蔵室左扉３を９０度まで開くことができる。右冷蔵室扉４についても、これと同様のことが言える。
【００２３】
次に、操作パネル５の構成について説明する。図１２は操作パネル５の断面図である。図１２において、操作パネル５は、文字やイラスト等が印刷されているフィルム３２、フィルム３２と一体化された操作フロントパネル３３、基板３６、フィルムに印刷された文字やイラスト等を照らすＬＥＤ３９、導光板３５、光漏れを防止するエレクトボックス３４、基板おさえ３７を備えている。なお、操作フロントパネル３３の裏面には、エレクトボックス３４および基板３６の位置決めをするボス形状がついている。また、導光板３５と同じ機能を持つ導光部を有しても構わない。操作パネル５は、文字やイラストが印刷されたフィルム３２と操作フロントパネル３３を一体化し、その裏側にエレクトボックス３４をはめて位置決めし、エレクトボックス３４の穴に導光板３５をはめ込んだあと、基板３６をはめ、最後に基板おさえ３７で固定することによって構成される。この基板おさえ３７は、操作パネル５が静電容量式のため、基板上にある電極４０を押下部と密着させるために必要である。したがって、図１２に示すように、基板３６はエレクトボックス３４よりも背面にあり、また、基板上には電極４０が押下部の真下の位置にくるように配置してあるため、同じく基板上にあるＬＥＤ３９は真下以外の部分から照らしている。また、この操作パネル５を受ける部材として、操作パネル受け３８がある。操作パネル受け３８は、冷蔵室左扉部真空断熱材１６と冷蔵室左扉３との間に配置され、発泡前に操作パネル受け３８を冷蔵室左扉３の裏側に仮固定した後、アルミテープで貼付け固定している。そして発泡した後、操作パネル５を操作パネル受け３８にはめ込むことで、冷蔵室左扉３に操作パネル５が配置される。なお、操作パネル５の構成はこれに限らず、例えば透明電極４１を用いた構成にしても構わない。
【００２４】
操作パネル５に透明電極４１を用いた構成に関して以下に説明する。図１３は透明電極４１を用いた操作パネル５の断面図である。透明電極４１を用いた操作パネル５の構成は図１２に示される構成とほぼ同じだが、電極の位置が異なる。図１３に示すように、透明電極４１は単独で存在するため、操作フロントパネル３３側に配置することができる。したがって、基板上にあるＬＥＤ３９にて真下から照らすことができるので、文字やイラスト等の表示部を均等に照らすことができる。また、電極の位置は基板上になく操作フロントパネル３３側と一体化させるため、電極を密着させるための基板おさえ３７は必要ない。したがって、透明電極４１を用いた操作パネル５の構成においては、エレクトボックス３４の前面部に文字やイラスト等が印刷された透明電極４１を貼り付け、エレクトボックス３４の背面に導光板３５および基板３６を配置した後、固定している。この透明電極４１を用いた操作パネル５の場合も、操作パネル５を受ける部材として、操作パネル受け３８が存在する。操作パネル受け３８は、同じく冷蔵室左扉部真空断熱材１６と冷蔵室左扉３との間に配置され、発泡前に操作パネル受け３８を冷蔵室左扉３の裏側に仮固定した後、アルミテープで貼付け固定されている。そして発泡した後、操作パネル５を操作パネル受け３８にはめ込むことで、冷蔵室左扉３に操作パネル５が配置される。なお、操作パネル５を操作パネル受け３８にはめ込む方法としては、例えば冷蔵室左扉３の横から挿入する方法がある。
【００２５】
図１４はエレクトボックスの斜視図である。例えば、操作パネル５を挿入しやすいように操作パネル受け３８にガイドを設けた場合、発泡時に操作パネル受け３８が変形してしまい、操作パネル５を挿入しづらいもしくは挿入できないという問題が生じるため、エレクトボックス３４の上面にバネ形状４２をもたせることで、操作パネル受け３８の変形時にも対応ができる。また、操作パネル５の挿入口側のエレクトボックス３４の側面にリブ４３を設けることで、挿入後の左右位置を固定することができる。さらに、エレクトボックス３４のリブ４３を有する部分を一部右フレーム片２８ｂに引っ掛けることによって、サービス時における基板交換の際に簡単に交換することができるため、サービス性を向上させることができる。ただし、操作パネル５の設置方法はこれに限定されるものではなく、例えば冷蔵室左扉３の前面からはめる方法でも構わない。なお、操作パネル５の配置は冷蔵室左扉３上に限定されない。操作パネル５は、例えば冷蔵室２内に配置されても良い。
【００２６】
操作パネル５は薄いパネル方式の操作盤であり、操作パネルを左冷蔵室扉３の前面に設置しても左冷蔵室扉３の厚さはほとんど増加しない。特に、操作内容を示す文字やイラスト等が印刷されている表示面のみが露出するように操作パネル５を左冷蔵室扉３の前面に設置すれば、左冷蔵室扉３の厚さは増加しない。当該表示面は、図１２の操作パネル５においてはフィルム３２の上面であり、図１３の操作パネル５においては操作フロントパネル３３の上面である。操作パネル５を左冷蔵室扉３の前面に設けても、左冷蔵室扉３を９０以上開けることができ、且つ操作パネル５へのタッチという簡単な動作によって冷蔵庫１に関する操作を行うことができる。操作パネル５で操作できる内容としては、例えば、省エネモードの切り替え、急速製氷の開始／停止、切替室６を冷凍室とするかソフト冷凍室とするかの切り替えである。
【００２７】
図１５は、扉閉鎖装置４４及び下ヒンジ４５の分解斜視図である。図１６（ａ）は、扉閉鎖装置４４の平面図である。図１６（ｂ）は、図１６（ａ）のＢ−Ｂ線における縦断面図である。図１７（ａ）は、扉閉鎖装置４４の側面図である。図１７（ｂ）は、図１７（ａ）のＡ−Ａ線における横断面図である。下ヒンジ４５は、複数のねじ挿通穴４５ｄが設けられた垂直片４５ｂと、これと一体的に形成された水平片４５とを有し、略Ｌ字型の形状からなる。垂直片４５ｂが冷蔵室２の下部にネジ固定されることにより、下ヒンジ４５が冷蔵室２の下部に固定されている。下フレーム片の長手方向の一端であって下ヒンジ４５に対応する位置には、扉閉鎖装置４４を収容できるように上側に凹陥した収容部５０ｃが形成されている。
【００２８】
扉閉鎖装置４４は、下ヒンジ４５の軸４５ａに内部嵌合して回動不能に支持され、下ヒンジ４５の軸対称に少なくとも一対の凹部４６ａが形成された合成樹脂製のカム４６と、先端部４７ａがこのカム４６を両側から直接挟持してカム４６の外周に沿って押圧しながら回動する板バネ４７と、この板バネ４７を保持して冷蔵室左扉３に固定されるバネ保持部材４８と、これらを支えるベース部材４９とからなる。この扉閉鎖装置４４は、扉閉鎖時は板バネ４７の先端部４７ａがカム４６の凹部４６ａに係合しており、バネ力は殆ど解放された状態にあるが、冷蔵室左扉３を開放し始めると徐々に係合を外れて付勢され、外周面に至ると最大に達するようになる。逆に言えば、冷蔵室左扉３を閉めるときは最大に付勢されていたバネ力が凹部４６ａにかかり急激に解放されるようになる。また、この扉閉鎖装置４４のカム４６に形成された一対の凹部４６ａは、板バネ４７の先端部４７ａが係合した状態では冷蔵室左扉３が冷蔵庫本体１３により係止される位置よりも閉成方向に位置するように配設されている。この扉閉鎖装置４４のカム４６に形成された一対の凹部４６ａの始点は、扉内板側周縁に配設されたマグネットガスケット（図示せず）の着磁力により冷蔵室左扉３が自動的に閉鎖する開放角度位置よりも広い角度位置にあることは勿論である。扉閉鎖装置４４は、カム４６の外周を板バネ４７が直接押圧することにより付勢されるようにした、即ち、カム４６が直接板バネ４７を付勢するように構成したので、板バネ４７自体のバネ強さとカム４６の大きさ及び形状のみで冷蔵室左扉３を閉鎖する強さが決まり、ばらつくことが殆どない。したがって、冷蔵室左扉３に組み込んだ後にバネ力を調整しなくても、バネ力が強すぎて冷蔵室左扉３の閉鎖音が大きくなったり、弱すぎて冷蔵室左扉３が途中で停止してしまったりすることがなく、確実に冷蔵室左扉３を閉鎖することができる。冷蔵室右扉４にも同様に扉閉鎖装置４４及び下ヒンジ４５が設けられており、同様の効果が得られる。
【００２９】
また、板バネ４７がカム４６を両側から挟持するようにしているので大きなバネ力が得られる。即ち、閉鎖力を大きくするためにカム４６の凹部４６ａを深くして落差を大きくしたり板バネ４７の高さ寸法を大きくしたりするための大きなスペースを必要とせず、またバネ自体を厚くするために加工性を悪くすることもない。
【００３０】
上記したように本実施形態の冷蔵庫１においては、左フロントパネル３１ａが左扉フレーム枠２８の前面部に対して両面テープ３０によって貼り付け固定されている。かかる固定方法によれば、左フロントパネル３１ａをＰＰ（ポリプロピレン）樹脂などの樹脂材料でくわえ込んで固定する従来の固定方法に比較して、冷蔵室左扉３の厚さを当該樹脂材料の厚さ分だけ薄くすることができる。仮に、冷蔵室左扉部真空断熱材１６又はウレタン（図示せず）の厚さを薄くすることによっても、冷蔵室左扉３の厚さを薄くできるが、この場合には断熱性が悪化してしまう。これに対して、本実施形態の冷蔵庫１によれば、左フロントパネル３１ａにガラス等の強度の弱い材料を用いた場合でも、冷蔵室左扉３の厚さの増加を抑制できるとともに断熱性を保つこともできる。また、左フレーム片２８ａの角部２８ａ６には逃し部２８ａ３が設けられている。逃し部２８ａ３を設けることによって、左フレーム片２８ａが左壁面Ｗにぶつかることなく冷蔵室左扉３を９０以上開くことができる。かかる構成によれば、冷蔵庫１の左側面６０ａと左壁面Ｗとを近接させて冷蔵庫１を設置した場合であっても冷蔵室左扉３を９０度以上開くことができる。冷蔵室右扉４も同様の構造であり、同様の効果を奏する。このように、冷蔵室左扉３及び冷蔵室右扉４をそれぞれ９０度開くことができ、冷蔵室２内のケースや棚を庫外に簡単に引き出すことができる。
【００３１】
逃し部２８ａ３としては、Ｃ面取り形状、円弧形状、波形状などの形状を採用することができるので、設計の自由度が増すとともに、冷蔵庫２の全体の形状との相性等を考慮して適当な形状を選択することによって意匠性を向上させることができる。また、逃し部２８ａ３をこのように形成すれば、回転軸中心Ｑを左フロントパネル３１ａの前面に近づけて配置することが可能となり、左冷蔵室扉３を９０以上開くための条件Ｃ≦（Ａ＋ｔ）を満たすことが容易となる。右冷蔵室扉４の場合も同様である。
【００３２】
また、左右フレーム片２８ａ及び２８ｂの各々の両端にリブを設け、上下フレーム片２８ｃ及び２８ｄの各々の両端に爪部を設け、リブと爪部とを嵌合させて左扉フレーム枠２８を枠組みすることによって、左右フレーム片２８ａ及び２８ｂが左右方向に抜けなくなるという効果を奏する。右扉フレーム枠２９についても同様の効果が得られる。
【００３３】
また、左フレーム片２８ａの側面部内側の長手方向に沿って補強材５４が固定されているので、冷蔵室左右扉３の閉空間内の隙間に充填されたウレタンの発泡時に左扉フレーム枠２８が変形することを防止することができる。また、当該ウレタンによって左フロントパネル３１ａの背面が左扉フレーム枠２８に固定されているので、左フロントパネル３１ａの固定強度が増し、左フロントパネル３１ａが左扉フレーム枠２８から外れ難くなるという効果を奏する。右冷蔵室扉４の場合も同様である。
【００３４】
また、従来、フロントパネルの周縁を樹脂でくわえ込む固定方法があったが、この場合、冷蔵庫前面から見た際のフロントパネルの面積が減ってしまい、意匠性を損ねていた。さらに、フロントパネルの表面および裏面を樹脂でくわえ込むと、隙間にホコリなどが溜まりやすく、清掃性が良くなかった。翻って、本実施形態の冷蔵庫１によれば、冷蔵庫１の前面から見た際の左フロントパネル３１ａの面積を大きくして意匠性および清掃性を向上させることができる。左フロントパネル３１ａの材料としてガラスを用いれば、意匠性を更に高めることができる。また、前面から見て左扉フレーム枠２８の前面部の一部が露出するように左フロントパネル３２を貼り付け固定することによっても意匠性を更に高めることができる。右冷蔵室扉４の場合も同様である。
【００３５】
本実施形態の冷蔵庫１は、操作パネル５を備えている。操作パネル５は薄いパネル方式の操作盤であり、操作パネルを左冷蔵室扉３の前面に設置しても左冷蔵室扉３の厚さはほとんど増加しない。特に、操作内容の表示面のみが露出するように操作パネル５を左冷蔵室扉３の前面に設置すれば、左冷蔵室扉３の厚さは増加しない。したがって、操作パネル５を左冷蔵室扉３の前面に設けても、左冷蔵室扉３を９０以上開けることができ、且つ操作パネル５へのタッチという簡単な動作によって冷蔵庫１に関する操作を行うことができる。操作パネル５を右冷蔵室扉４に設けた場合も同様である。
【００３６】
本実施形態の冷蔵庫１は、扉閉鎖装置４４を備えている。ユーザーが冷蔵室２内の食品を取り出し、その食品を台所やテーブルに置いてから冷蔵室２の扉を閉めた場合、冷蔵室左右扉３及び４が開いている間に庫内の冷気が外へ漏れてしまい、冷蔵室２内の温度が上がってしまう。そうすると、温度が上がってしまった冷蔵室２内を冷やすために風量が増加し、圧縮機２６が停止するまでの時間が延びて、消費電力量の悪化につながってしまう。したがって、冷蔵室左右扉３及び４は簡単且つ確実に閉まる構造となっていることが望ましい。本実施形態の冷蔵庫１によれば、冷蔵庫１を壁面に近接配置した場合であっても冷蔵室左右扉３及び４を９０度まで開くことができるとともに、扉閉鎖装置４４によって冷蔵室左右扉３及び４を簡単且つ確実に閉じることができる。
【００３７】
上記実施形態は、冷蔵室２を開閉するために冷蔵室左扉３及び冷蔵室右扉４を設けた場合の例であるが、これに限られない。冷蔵室左扉３及び冷蔵室右扉４の代わりに、冷蔵室２を開閉する１つの扉を設けることもできる。１つの扉で冷蔵室２を開閉する構成の場合にも、上記実施形態と同様の効果を奏することができる。この際の冷蔵室扉の厚さ及び冷蔵室扉と壁面との距離関係は、図７〜図１１に示される厚さ及び距離関係と同様である。
【００３８】
上記実施形態は、最上段に冷蔵室２を設けた場合の例であるが、これに限られない。例えば、冷蔵室２と冷凍室４の位置を入れ替えることができる。また、切替室６と製氷室８の位置を入れ替えることもできる。このように、各室の位置を任意に入れ替え可能である。入れ替えを行った場合にも、上記実施形態と同様の効果を奏することができる。この際の冷蔵室扉の厚さ及び冷蔵室扉と壁面との距離関係は、図７〜図１１に示される厚さ及び距離関係と同様である。
【００３９】
上記実施形態は、扉閉鎖装置４４を下ヒンジ４５に取り付けた場合の例であるが、扉閉鎖装置４４は必ずしも必要でない。また、上記実施形態は、左フロントパネル３１ａの背面周縁部が扉左フレーム枠２８の前面枠部に両面テープ３０で固定された場合の例であるが、固定方法はこれに限られない。例えば、これらを接着剤で固定することもできる。右扉についても同様である。
【００４０】
実施の形態２．
以下、実施の形態１とは異なる部分について説明する。図１８（ａ）は、この発明の実施の形態２における、左扉フレーム枠２８の角部２８ａ６の逃し部２８ａ３がＣ面取り形状である場合の逃し部２８ａ３付近の水平方向の断面図である。図１８（ｂ）は、図１８（ａ）とは別のＣ面取り形状とした場合の逃し部２８ａ３付近の水平方向の断面図である。図１９は、この発明の実施の形態２における、左扉フレーム枠２８の角部２８ａ６の逃し部２８ａ３が円弧形状である場合の逃し部２８ａ３付近の水平方向の断面図である。図２０は、この発明の実施の形態２における、左扉フレーム枠２８の角部２８ａ６の逃し部２８ａ３が波形状である場合の逃し部付近の水平方向の断面図である。
【００４１】
左扉フレーム枠２８の角部２８ａ６には逃し部２８ａ３が設けられている。水平断面で見て左フロントパネル３１ａの最も厚い部分におけるパネル前面部Ｄから、左扉フレーム枠２８の左側面部（左フレーム片２８ａの側面部２８ａ２）に直交する方向に回転軸中心Ｑから伸びる仮想線Ｅまで、直交するように伸ばした直線Ｃ１の長さＣが、逃し部２８ａ３における回転軸中心Ｑから最も遠い最遠部Ｐから回転軸中心Ｑまでの距離Ｂよりも短い。左フロントパネル３１ａの左右辺のうちの回転軸中心Ｑ側の端部Ｇは、回転軸中心Ｑから最遠部Ｐまでの長さを半径Ｂとし回転軸中心Ｑを中心とする円Ｘ内に存在する。冷蔵室右扉４も同様である。
【００４２】
かかる構成によれば、冷蔵室左扉３を開いたときに左扉フレーム枠２８の角部２８ａ６の逃し部２８ａ３が壁面Ｗにぶつからない程度の距離を確保して冷蔵庫１を壁面Ｗに近接配置した場合、左フロントパネル３１ａも壁面Ｗにぶつからずに冷蔵室左扉３を９０以上開くことができる。冷蔵室右扉４も同様の構成とすることができ、同様の効果を奏する。なお、本実施形態において、実施の形態１における冷蔵室左扉３を９０度以上開くための条件Ｂ≦（Ａ＋ｔ）及びＣ≦（Ａ＋ｔ）を更に満たす構成としても良い。かかる構成の場合にも、冷蔵室左扉３を９０度以上開くことができる。冷蔵室右扉４もこのような構成とすることができ、同様の効果を奏する。
【００４３】
図２１は、水平断面で見たときの左フロントパネル３１ａの前面が曲面である場合における逃し部２８ａ３付近の水平方向の断面図である。水平断面で見て左フロントパネル３１ａの最も厚い部分におけるパネル前面部Ｄから、左扉フレーム枠２８の左側面部（左フレーム片２８ａの側面部２８ａ２）に直交する方向に回転軸中心Ｑから伸びる仮想線Ｅまで、直交するように伸ばした直線Ｃ１の長さＣが、逃し部２８ａ３における回転軸中心Ｑから最も遠い最遠部Ｐから回転軸中心Ｑまでの距離Ｂよりも短い。左フロントパネル３１ａの左右の端部のうちの回転軸中心Ｑ側に位置する端部すなわち左端部Ｇは、回転軸中心Ｑから最遠部Ｐまでの長さを半径Ｂとし回転軸中心Ｑを中心とする円Ｘ内に存在する。冷蔵室右扉４も同様の構成であり、同様の効果を奏する。
【００４４】
実施の形態３．
図２２は、本実施の形態における扉閉鎖装置４４の側面図である。図２３は、図２２の扉閉鎖装置４４の分解斜視図である。以下、図１５及び図１６も参照しつつ説明する。
【００４５】
収納段部５０ａと段差リブ５０ｂに係止されてベース部材４９が嵌合し、鋼板製のストッパー５１で蓋をする如く、断熱材内に埋設される補強板５２にネジ５３で締結されている。また、板バネ４７の先端部（カム４６を挟持する部分）の端面エッジ部４７ｂ、４７ｃに接触する可能性のあるカム４６の外径部に肉盗み部すなわち溝部４６ｂ、４６ｃを設け、カム４６が板バネ４７の端面エッジ部４７ｂ、４７ｃに接触しないようにした。また、カム４６の軸受けとして開けられたバネ保持部材軸受け穴４８ａ、およびベース部材軸受け穴４９ａよりも外径の大きいストッパー形状４６ｄ、４６ｅがカム４６の上下に設けてある。また、このカム４６を上下逆に組みたてた場合でも板バネ４７の上下端エッジ部４７ｂ、４７ｃがカム４６の外径部に接触しないようになっている。
【００４６】
また、本実施の形態では、回動時に板バネ４７の端面エッジ部４７ｂ、４７ｃに合成樹脂製のカム４６が接触しないようにすることで、カム４６が軸方向にズレた場合であっても、板バネ４７の端面エッジ部分４７ｂ及び４７ｃとカム４６との線接触を回避して、カム４６と板バネ４７の挟持部分とを面接触させることが可能となる。かかる構成により、板バネ４７の端面エッジ部４７ｂ、４７ｃのみ磨耗が進行することが無くなる。それにより摺動抵抗が初期より増大することなく安定化して回動時にその磨耗部よりこじれ音が発生する等の不具合が無くなり、部品寿命にも好影響を及ぼす。また、この効果は、図１７の様に板バネ４７の端面エッジ部４７ｂ、４７ｃがカム４６に接触する場合においても板バネ４７の端面エッジ部４７ｂ、４７ｃをバレル処理、面打ち等することによってエッジ部４７ｂ、４７ｃをだらすことにより同様の効果を得ることが出来る。
【符号の説明】
【００４７】
１      冷蔵庫
２      冷蔵室
３      冷蔵室左扉
４      冷蔵室右扉
５      操作パネル
６      切替室
７      切替室扉
８      製氷室
９      製氷室扉
１０    冷凍室
１１    冷凍室扉
１２    野菜室
１３    野菜室扉
１４    天井部真空断熱材
１５    背面部真空断熱材
１６    左扉部真空断熱材
１７    右扉部真空断熱材
１８    冷凍室扉部真空断熱材
１９    野菜室扉部真空断熱材
２０    左扉内板
２１    右扉内板
２２    冷凍室扉内板
２３    野菜室扉内板
２４    冷却器
２５    ファン
２６    圧縮機
２７    内箱
２８    左扉フレーム枠
２８ａ  左フレーム片
２８ｂ  右フレーム片
２８ｃ  上フレーム片
２８ｄ  下フレーム片
２８ｅ  リブ
２８ｆ  爪
２９    右扉フレーム枠
２９ａ  左フレーム片
２９ｂ  右フレーム片
２９ｃ  上フレーム片
２９ｄ  下フレーム片
３０    両面テープ
３１ａ  左フロントパネル
３１ｂ  右フロントパネル
３２    フィルム
３３    操作フロントパネル
３４    エレクトボックス
３５    導光板
３６    基板
３７    基板おさえ
３８    操作パネル受け
３９    ＬＥＤ
４０    電極
４１    透明電極
４２    バネ形状
４３    リブ
４４    扉閉鎖装置
４５    下ヒンジ
４５ａ  軸
４５ｂ  垂直部
４５ｃ  水平部
４５ｄ  ネジ穴
４６    カム
４６ａ  凹部
４６ｂ  カム肉盗み部（溝部）（上側）
４６ｃ  カム肉盗み部（溝部）（下側）
４６ｄ  カムストッパ形状（上側）
４６ｅ  カムストッパ形状（下側）
４７    板バネ
４７ａ  先端部
４７ｂ  板バネエッジ部（上側）
４７ｃ  板バネエッジ部（下側）
４８    バネ保持部材
４８ａ  バネ保持部材軸受け穴
４９    ベース部材
４９ａ  ベース部材軸受け穴
５０    下フレーム片
５０ａ  収納段部
５０ｂ  段差リブ
５１    ストッパー
５２    補強板
５３    ネジ
５４    補強材
６０    箱体
７０    上ヒンジ
【図１】
2015169421.tif 000003
【図２】
2015169421.tif 000004
【図３】
2015169421.tif 000005
【図４】
2015169421.tif 000006
【図５】
2015169421.tif 000007
【図６】
2015169421.tif 000008
【図７】
2015169421.tif 000009
【図８】
2015169421.tif 000010
【図９】
2015169421.tif 000011
【図１０】
2015169421.tif 000012
【図１１】
2015169421.tif 000013
【図１２】
2015169421.tif 000014
【図１３】
2015169421.tif 000015
【図１４】
2015169421.tif 000016
【図１５】
2015169421.tif 000017
【図１６】
2015169421.tif 000018
【図１７】
2015169421.tif 000019
【図１８】
2015169421.tif 000020
【図１９】
2015169421.tif 000021
【図２０】
2015169421.tif 000022
【図２１】
2015169421.tif 000023
【図２２】
2015169421.tif 000024
【図２３】
2015169421.tif 000025